(57)【要約】【課題】既存の平板スレート瓦に棟側から軒側に向けて改修用金属屋根材を葺くようにして仕上げ面に傷や汚れが付くことを防止すると共に施工性に優れた平板スレート瓦改修用金属屋根材を提供する。【解決手段】既存の平板スレート瓦１に金属屋根材２を被せて改修する金属屋根材であって、上板部５ａが被せるべき平板スレート瓦に固定され、係止部６が形成された下板部５ｂが下側の平板スレート瓦との間に挿入される固定部材５と、被せるべき平板スレート瓦を覆い上端部２ｂが上側の平板スレート瓦との間に挿入され、下端部２ｃが被せるべき平板スレート瓦の前端部を覆い、下板部２ｇが下側の平板スレート瓦との間に挿入され係止部６に係止される係止部２ｊが形成された金属屋根材２とを備えた構成としている。【選択図】図７
2007170036.tif 000002
【特許請求の範囲】
【請求項１】
屋根の野地板上に軒側から棟側に階段状に重ねられた平板スレート瓦に改修用金属屋根材を被せて改修する平板スレート瓦改修用金属屋根材であって、
略Ｕ字状をなし上板部が被せるべき平板スレート瓦に固定され、係止部が形成された下板部が下側の平板スレート瓦との間に挿入される固定部材と、
平板をなし前記被せるべき平板スレート瓦を覆い、上端部が上側に折り返されて上側の平板スレート瓦との間に挿入され、下端部が下側に略角形Ｕ字状に折曲されて前記被せるべき平板スレート瓦の前端部を覆い、下板部が下側の平板スレート瓦との間に挿入されかつ前記固定部材の係止部に係止される係止部が形成された改修用金属屋根材とを備えたことを特徴とする平板スレート瓦改修用金属屋根材。
【請求項２】
前記固定部材の係止部は下板部の板面に下方かつ端末側に向けて起立して略鋸歯状に形成されていることを特徴とする、請求項１に記載の平板スレート瓦改修用金属屋根材。
【請求項３】
前記固定部材の下板部の端末近傍に下方に膨出して下側の平板スレート瓦との間に隙間を形成するリブが形成されていることを特徴とする、請求項１又は請求項２に記載の平板スレート瓦改修用金属屋根材。
【請求項４】
前記金属屋根材の係止部は下板部の端末が内側に折り返されて形成されていることを特徴とする、請求項１に記載の平板スレート瓦改修用金属屋根材。
【請求項５】
屋根の野地板上に軒側から棟側に階段状に重ねられた平板スレート瓦に改修用金属屋根材を被せて改修する平板スレート瓦改修用金属屋根材であって、
上部が上側に折り返されて被せるべき平板スレート瓦と上側の平板スレート瓦との間に挿入されその上板部の端末が上側に折曲されて前記上側の平板スレート瓦の前端部に係止されかつ端末近傍と折り返し部との間に下側に突出する係止部が少なくとも１つ形成され、下部が前記被せるべき平板スレート瓦に固定される固定部材と、
平板をなし前記被せるべき平板スレート瓦を覆い上端部が上側に折り返されて前記固定部材の上部及び上側の平板スレート瓦との間に挿入されかつ端面が前記係止部に係止され、下端部が下側に略角形Ｕ字状に折曲されて前記被せるべき平板スレート瓦の前端部を覆い下板部が下側の平板スレート瓦との間に挿入される改修用金属屋根材とを備えたことを特徴とする平板スレート瓦改修用屋根材。
【請求項６】
前記固定部材の係止部は上板部の板面に下方かつ端末側から折り返し部に向けて起立して略鋸歯状に形成されていることを特徴とする、請求項５に記載の平板スレート瓦改修用金属屋根材。
【請求項７】
前記固定部材の係止部は端末側から折り返し部に向けて間隔を存して複数形成され、前記金属屋根材は上端部の端面が前記複数の係止部の中の折り返し部側の係止部に係止され、下板部の端末が内側に折り返されて前記複数の係止部の中の端末側の係止部に係止されることを特徴とする、請求項５又は請求項６に記載の平板スレート瓦改修用金属屋根材。
【発明の詳細な説明】
【技術分野】
【０００１】
本発明は、既存の平板スレート瓦に改修用の金属屋根材を被せて改修する平板スレート瓦改修用金属屋根材に関し、特に棟側から軒側に向けて金属屋根材を葺いて施工する平板スレート瓦改修用金属屋根材に関する。
【背景技術】
【０００２】
従来から平板スレート瓦屋根の改修工法として既存の平板スレート瓦に新規の金属屋根材（改修用の金属屋根材）を被せる施工法がある。この施工法は、軒先（１段目）の平板スレート瓦に金属屋根材を被せて水上側の端部を平板スレート瓦と共に野地板にビスで固定し、次に、２段目の平板スレート瓦に金属屋根材を被せて水下側（下側）の係合部を１段目に被せた金属屋根材の水上側（上側）の係合部に係合させて端部を平板スレート瓦と共に野地板にビスで固定する。このようにして軒側から棟側に向かって既存の平板スレート瓦に新規の金属屋根材を順次被せて改修する。
【０００３】
また、棟側から軒側方向へ向かって新規の金属屋根材を葺く施工法も提案されている（例えば、特許文献１参照）。この施工法は、新設外装材を保持する新設保持部材を棟軒方向に隣接する既設横葺き外装材同士の接続部上に配置し、棟側の既設横葺き外装材の面板部への接合、軒側の既設横葺き外装材の面板部への接合、棟側の既設横葺き外装材の軒側成形部と軒側の既設横葺き外装材の面板部又は棟側成形部との間の空間もしくは接合部分への挿入の内少なくとも２つの手段により新設保持材を固定するようにしたものである。
【特許文献１】特開２００３−３０１５６６号公報（４頁、図３）
【発明の開示】
【発明が解決しようとする課題】
【０００４】
しかしながら、従来の軒側から棟側に向けて新規の屋根材を葺く施工法は、新しく葺いた屋根材の上に乗って次の屋根材を葺くために新しく葺いた屋根材の上を歩行することとなり、作業が棟側に進むに伴い新しい屋根材を運んだり作業者の上がり降り等を含めて新しく葺いた屋根材の上を歩くことが多くなり傷が付きやすい。また、既存の平板スレート瓦のざらざらした表面が剥げて新しく葺いた屋根材の上に落ち、この上を歩くことで更に傷や汚れが付きやすくなると共に作業者の靴底の汚れ等が付着して新しく葺いた屋根材の仕上げ面が汚れるという問題がある。また、作業者は、下方（軒側）を向いた作業が多くなり、姿勢に無理があり疲労度が大きい。
【０００５】
また、特許文献１に開示されている屋根材は、下側に葺く屋根材の上端部（水上側端部）の係止部を上側に葺いた屋根材の下端部（水下側端部）から奥深く挿入した後手前に引き出して前記係止部を上側の屋根材の下端部に形成した係止部に係止するようにしているために作業性が悪い。また、奥行き方向の逃げ代が長くなり、その分だけバックアップ材との隙間が長くなり下端部の強度を確保することが困難となる。また、改修工事もあるが既設屋根材の間に差し込む工法ではない。
【０００６】
本発明の目的は、既存の平板スレート瓦に棟側から軒側に向けて改修用の金属屋根材を葺くようにして仕上げ面に傷や汚れが付くことを防止すると共に施工性に優れ更に施工途中の雨仕舞いも良好な平板スレート瓦改修用金属屋根材を提供することにある。
【課題を解決するための手段】
【０００７】
上記目的を達成するために本発明に係わる平板スレート瓦改修用金属屋根材は、屋根の野地板上に軒側から棟側に階段状に重ねられた平板スレート瓦に改修用金属屋根材を被せて改修する平板スレート瓦改修用金属屋根材であって、略Ｕ字状をなし上板部が被せるべき平板スレート瓦に固定され、係止部が形成された下板部が下側の平板スレート瓦との間に挿入される固定部材と、平板をなし前記被せるべき平板スレート瓦を覆い、上端部が上側に折り返されて上側の平板スレート瓦との間に挿入され、下端部が下側に略角形Ｕ字状に折曲されて前記被せるべき平板スレート瓦の前端部を覆い、下板部が下側の平板スレート瓦との間に挿入されかつ前記固定部材の係止部に係止される係止部が形成された改修用金属屋根材とを備えたことを特徴としている。
【０００８】
固定部材の下板部を被せるべき平板スレート瓦と下側の平板スレート瓦との間に挿入し、上板部を被せるべき平板スレート瓦と共に野地板にビスで固定する。次に、被せるべき平板スレート瓦に改修用金属屋根材を被せ、上端部を上側の平板スレート瓦との間に、下端部の下板部を固定部材の下板部の下側から下側のスレート瓦との間に挿入して被せるべき平板スレート瓦の上面部及び前端部を覆い、下板部の係止部を固定部材の下板部の係止部に係止させる。上端部の上側に折り返された部分は、上側の平板スレート瓦の下面に当接する。
【０００９】
改修用金属屋根材は、下板部が固定部材の下板部に係止されてずれ落ちることが防止される。また、改修用金属屋根材は、上端部の上側に折り返された部分が上側の平板スレート瓦の下面に当接することで雨水の浸入が防止され、上端部の端面のエッジが前記下面に食い込むことでずれ落ちることが更に防止される。
【００１０】
前記改修用金属屋根材を被せた平板スレート瓦の下側の平板スレート瓦に同様にして固定部材を取り付けて改修用金属屋根材を被せ、上端部を上側の平板スレート瓦との間に、下端部の下板部を固定部材の下板部の下側から下側のスレート瓦との間に挿入して被せるべき平板スレート瓦の上面部及び前端部を覆い、下板部の係止部を固定部材の係止部に係止させる。このようして棟側から軒側に順次改修用金属屋根材を被せて改修する。
【００１１】
また、本発明の請求項２に記載の平板スレート瓦改修用金属屋根材は、請求項１に係わる平板スレート瓦改修用金属屋根材において、前記固定部材の係止部は下板部の板面に下方かつ端末側に向けて起立して略鋸歯状に形成されていることを特徴としている。
【００１２】
改修用金属屋根材の下板部が固定部材の下板部の下側に挿入され、その係止部が固定部材の下板部の板面に下方かつ端末側に向けて起立して略鋸歯状に形成された係止部に係止される。これにより、改修用金属屋根材が固定部材に係止されてずれ落ちることが防止される。
【００１３】
また、本発明の請求項３に記載の平板スレート瓦改修用金属屋根材は、請求項１又は請求項２に係わる平板スレート瓦改修用金属屋根材において、前記固定部材の下板部の端末近傍に下方に膨出して下側の平板スレート瓦との間に隙間を形成するリブが形成されていることを特徴としている。
【００１４】
固定部材の下板部が下側の平板スレート瓦との間に挿入されたときに端末近傍に下方に膨出して形成されたリブにより下側の平板スレート瓦との間に隙間が形成されて改修用金属屋根材の下板部の挿入が容易となる。そして、固定部材の上板部をリブの上方（棟側）位置で固定することで隙間がリブを支点として軒側（下方）にテーパ状に開き改修用金属屋根材の下板部の挿入が更に容易となる。
【００１５】
また、本発明の請求項４に記載の平板スレート瓦改修用金属屋根材は、請求項１に係わる平板スレート瓦改修用金属屋根材において、前記金属屋根材の係止部は下板部の端末が内側に折り返されて形成されていることを特徴としている。
【００１６】
改修用金属屋根材の下板部が固定部材の下板部の下側に挿入され、その折り返された端末が係止部とされて固定部材の下板部に下方かつ端末側に向けて起立して略鋸歯状に形成された係止部に係止される。改修用金属屋根材の下板部の端末を折り返して係止部とすることで改修用金属屋根材の幅（横）方向の何れの位置に固定部材を配置してもこの固定部材の下板部に形成された係止部に係止させることができる。
【００１７】
また、本発明の請求項５に記載の平板スレート瓦改修用金属屋根材は、屋根の野地板上に軒側から棟側に階段状に重ねられた平板スレート瓦に改修用金属屋根材を被せて改修する平板スレート瓦改修用金属屋根材であって、上部が上側に折り返されて被せるべき平板スレート瓦と上側の平板スレート瓦との間に挿入されその上板部の端末が上側に折曲されて前記上側の平板スレート瓦の前端部に係止されかつ端末近傍と折り返し部との間に下側に突出する係止部が少なくとも１つ形成され、下部が前記被せるべき平板スレート瓦に固定される固定部材と、平板をなし前記被せるべき平板スレート瓦を覆い上端部が上側に折り返されて前記固定部材の上部及び上側の平板スレート瓦との間に挿入されかつ端面が前記係止部に係止され、下端部が下側に略角形Ｕ字状に折曲されて前記被せるべき平板スレート瓦の前端部を覆い下板部が下側の平板スレート瓦との間に挿入される改修用金属屋根材とを備えたことを特徴としている。
【００１８】
固定部材の折り返された上部を被せるべき平板スレート瓦と上側の平板スレート瓦との間に挿入して上板部の端末を上側の平板スレート瓦の前端部に係止させて位置決めし、下部を被せるべき平板スレート瓦と共に野地板にビスで固定する。次に、被せるべき平板スレート瓦に改修用金属屋根材を被せ、折り返された上端部を固定部材の折り返された上部及び上側の平板スレート瓦との間に、下端部の下板部を下側のスレート瓦との間に挿入して被せるべき平板スレート瓦の上面部及び前端部を覆い、折り返された上端部の端面を固定部材に形成された係止部に係止させる。これにより、改修用金属屋根材は、上端部が固定部材に係止されてずれ落ちることが防止される。また、改修用金属屋根材は、上端部の上側に折り返された部分が上側の平板スレート瓦の下面に当接することで雨水の浸入が防止される。
【００１９】
前記改修用金属屋根材を被せた平板スレート瓦の下側の平板スレート瓦に同様にして固定部材を取り付けて改修用金属屋根材を被せ、上端部を固定部材の折り返された上部と上側の平板スレート瓦との間に、下端部の下板部を下側のスレート瓦との間に挿入して被せるべき平板スレート瓦の上面部及び前端部を覆い、上端部を固定部材の係止部に係止させる。このようして棟側から軒側に順次改修用金属屋根材を被せて改修する。
【００２０】
また、本発明の請求項６に記載の平板スレート瓦改修用金属屋根材は、請求項５に係わる平板スレート瓦改修用金属屋根材において、前記固定部材の係止部は上板部の板面に下方かつ端末側から折り返し部に向けて起立して略鋸歯状に形成されていることを特徴としている。
【００２１】
改修用金属屋根材の折り返された上端部が固定部材の上側に折り返された上部に挿入され端末が固定部材の下板部の板面に下方かつ端末側から折り返し部に向けて起立して略鋸歯状に形成された係止部に係止される。これにより、改修用金属屋根材が固定部材に係止されてずれ落ちることが防止される。
【００２２】
また、本発明の請求項７に記載の平板スレート瓦改修用金属屋根材は、請求項５又は請求項６に係わる平板スレート瓦改修用金属屋根材において、前記固定部材の係止部は端末側から折り返し部に向けて間隔を存して複数形成され、前記金属屋根材は上端部の端面が前記複数の係止部の中の折り返し部側の係止部に係止され、下板部の端末が内側に折り返されて前記複数の係止部の中の端末側の係止部に係止されることを特徴としている。
【００２３】
改修用金属屋根材の上端部は、固定部材の折り返された上部の折り返し部近傍（奥）まで挿入されてその端面が固定部材の奥の係止部に係止され、下板部の折り返された端末の端面が固定部材の手前側の係止部に係止される。改修用金属屋根材は、上端部と下板部の２箇所で固定部材に係止されることで確実に係止されてずれ落ちることが防止される。
【発明の効果】
【００２４】
本発明によると、屋根の棟側から軒側に向けて改修用金属屋根材を葺くことで新しく葺いた金属屋根材の上に乗って施工することがなくなり、傷付けや汚れを最小限に抑えることができる。
【００２５】
更に新しく葺いた改修用金属屋根材の仕上げ面の歩行を最小限に抑えることができ、汚れ及び傷を防止することができる。また、作業者の施工体勢に無理がなく、疲労度を軽減することができ、作業性の向上が図られる。更に固定部材により既存の平板スレート瓦へのビス止め時の石綿の飛散を防止することが可能である。
【００２６】
また、施工途中で雨が降ってきた場合でも何ら問題が無く作業を中断することができ、雨養生が極めて容易であり、雨仕舞いに優れている。更に、既存の平板スレート瓦の段差と一致させて新規の金属屋根材を被せることができ、既存の屋根の意匠を保持することができる。また、既存の平板スレート瓦を新しい金属屋根材で覆うことで、既存の平板スレート瓦と相俟って夏季における熱暑や冬季における冷却の影響及び雨音を有効に抑えることができる。
【発明を実施するための最良の形態】
【００２７】
以下、本発明の一実施形態に係わる平板スレート瓦改修用金属屋根材について図面に基づいて説明する。
【００２８】
図１は、２点鎖線で示すように平板スレート瓦１が軒側（下）から棟側（上）に階段状をなして順次重ねられた屋根の一部を示す平面図で、改修用金属屋根材（以下単に「金属屋根材」という）２は、既存の平板スレート瓦１に被せられかつこの平板スレート瓦１と金属屋根材２との間に所定の間隔を存して介在され当該平板スレート瓦１と共に野地板に固定される固定部材５により固定される。尚、以後上記各構成部材において水上側（棟側）を上端或いは上端部、水下側（軒側）を下端或いは下端部として説明する。
【００２９】
金属屋根材２は、平板状をなし、例えば、横の長さ（横幅）が平板スレート瓦１の横幅の略２倍（２枚分）よりも僅かに長く、縦の長さ（縦幅）が平板スレート瓦１の働き幅よりも広い横方向に細長い長方形状とされている。金属屋根材２は、図２に示すように平板部２ａの上端部２ｂが全幅に亘り上側に側面から見て僅かに開きぎみの略Ｕ字状に折り返され、下端部２ｃが全幅に亘り側面から見て下側に略角形Ｕ字状に折曲されている。
【００３０】
上端部２ｂの上面２ｄは、被せるべき平板スレート瓦１の上側の平板スレート瓦１の下面に弾性的に当接しその端面２ｅが下面に食い込むようになっている。また、この端面２ｅは、後述する固定部材５の係止部としての係止爪７と係合可能とされて係止部としての機能も有している。
【００３１】
略角形Ｕ字状をなす下端部２ｃは、中央部（前板部）２ｆが平板スレート瓦１の板厚よりも高く形成され、下板部２ｇの上端部（端末）２ｈが内側に略Ｕ字状に折り返されている。下板部２ｇは、被せるべき平板スレート瓦１の先端部と下側の平板スレート瓦１との隙間に挿入可能とされ、上面２ｉが被せるべき平板スレート瓦１の下面に当接又は僅かな隙間を存して対向可能とされ、その端面２ｊが固定部材５の係止爪６と係合する係止部としての機能を有している。
【００３２】
尚、平板スレート瓦の軒先の施工として例えば平板スレート瓦が２枚重ねられた構造の場合、当該軒先の平板スレート瓦に被せる金属屋根材２は、下端部２ｃの中央部２ｆの高さがこれに応じた２枚分の高さとされる。
【００３３】
この金属屋根材２は、例えば耐食性に優れたガルバリウム鋼板により形成され、全面に防錆塗装が施され、更に表面に所定のカラー塗装が施されている。金属屋根材２の平板部２ａの裏面にはバックアップ材３が貼着されている。バックアップ材３は、例えばウレタンや発泡スチロール部材で形成されており、断熱材及び遮音材としての機能を有している。
【００３４】
固定部材５は、いわゆる吊子と称されており、既存の平板スレート瓦１に固定されて金属屋根材２を止めるためのものである。固定部材５は、図３乃至図５に示すように帯状の鋼板を側面から見て略角形Ｕ字状に折曲して形成されており、平板スレート瓦１の前端部に装着される。上板部５ａは、下板部５ｂよりも僅かに長く、中央部５ｃの下部５ｄは、後方に傾斜面をなして下板部５ｂに連設されている。尚、中央部５ｃは、図５に２点鎖線で示すように半円形状に形成しても良い。このように半円形状に形成することで成形が容易となる。
【００３５】
上板部５ａの上端部の略中央に上面から見て同心円形をなし側面から見て上方に略半円形状に膨出する例えばドーナツを半割にした形状のリブ５ｅが形成され、その中央にビス孔５ｆが形成されている。更に上板部５ａの両側部に一端がリブ５ｅに連接され他端が下端側（中央部５ｃ側）に適宜の長さだけ延出し上方に略半円形状をなしてリブ５ｅと同じ高さに膨出する細長いリブ５ｇが形成されている。ビス孔５ｆは、図４及び図５に示すように下板部５ｂの端末（上端よりも上方（棟側）に位置している。
【００３６】
下板部５ｂの上端には図４及び図５に示すように板面の下方にかつ下端側から上端方向（上下方向）に沿って略台形状に膨出するリブ５ｈが形成されている。更に、下板部５ｂの下端部の両側に係止部としての係止爪６が形成され、これらの係止爪６とリブ５ｈとの間に係止部としての係止爪７が形成されている。そして、係止爪６の高さはリブ５ｈよりも低く設定され、係止爪７の高さは係止爪６と同じ高さに設定されている。
【００３７】
尚、図４及び図５においてリブ５ｈは、下板部５ｂの幅一杯に形成したが、これに限るものではなく他の位置に適当な幅に例えば、下板部５ｂの上端中央部に板幅の略１／３程度の幅に形成しても良い。また、その断面形状も下端側から上端方向（上下方向）に沿って略円弧状をなすようにしてもよい。
【００３８】
係止爪６は、図５に示すように側面から見て下板部５ｂの板面の下方にかつ下端から上端（上方向）に向かって起立された略鋸歯状をなし、図６に示すように下面６ａが下端から上端に向かって僅かに内側に僅かに凹面をなし、両側部６ｂが下板部５ｂに対して略垂直をなして形成されて上方に開口している。
【００３９】
開口部６ｄは角形をなし、その両側端面、即ち両側部６ｂの端面６ｃは、下面６ａの端面６ｅから下板部５ｂにかつ下端側に向かって僅かに傾斜して形成されており、これらの両端面６ｃが実質的な係止爪とされている。係止爪７も係止爪６と同様にして形成されている。この固定部材５は、金属屋根材２と同様に耐食性に優れたガルバリウム鋼板により一体に形成されている。
【００４０】
以下に金属屋根材２により既存の平板スレート瓦の屋根を改修する手順について説明する。先ず、屋根の図示しない棟カバー及び最上段の平板スレート瓦を野地板に固定している笠木（押さえ板）を取り外す。次に、最上段の平板スレート瓦に当該屋根の横方向に所定の間隔で固定部材５を配置して固定する。平板スレート瓦葺き屋根は、図１に示すように平板スレート瓦１が屋根の横（幅）方向に並設されて左右の隣り合う平板スレート瓦１の端面同士が突き合わされて配置されている。そこで、固定部材５を、図１に示す左右に隣り合う平板スレート瓦１の例えば突き合わせ位置に配置する。
【００４１】
そして、図７に示すように棟側から１段目（最上段）の平板スレート瓦１-1の前端部に固定部材５-1を装着し、平板スレート瓦１-1の上面に上板部５ａを当接させ、下板部５ｂをこの平板スレート瓦１-1と下側の２段目の平板スレート瓦１-2との隙間に中央部５ｃの下部５ｄが当たるまで挿入する。下板部５ｂは、平板スレート瓦１-2の下面に当接する。尚、図７において平板スレート瓦１と固定部材５のハッチングは図面の煩雑を避けるために省略してある。
【００４２】
次いで、上板部５ａのリブ５ｅの中にパッキン８を入れてビス９により上板部５ａを平板スレート瓦１と共に野地板１５、垂木１６に固定する。ビス９の頭部は、リブ５ｅと略同じ高さになる。パッキン８は、丸いゴム板でビス９をねじ込む際にリブ５ｅとビス９に密着し、平板スレート瓦１-1にビス９をねじ込む際に発生する石綿の切粉がビス孔５ｆから外部に飛散することが有効に防止される。尚、パッキン８は、必ずしも使用しなくとも良い。
【００４３】
この状態において固定部材５の下板部５ｂに形成されたリブ５ｈが２段目の平板スレート瓦１-2の上面に当接し、かつこのリブ５ｈを支点として下端側が押し上げられて１段目の平板スレート瓦１-1と２段目の平板スレート瓦１-2との間に平板スレート瓦１-1の前端部側に向けてテーパ状に開口する隙間Ｓ-1が形成される。そして、係止爪６，７の先端が平板スレート瓦１-2の上面から僅かに離隔している。
【００４４】
次に、１段目の平板スレート瓦１-1に金属屋根材２-1を被せて下板部２ｇを平板スレート瓦１-1と固定部材５-1の下板部５ｂの下側及び平板スレート瓦１-2との隙間Ｓ-1に挿入する。下板部２ｇは、固定部材５-1の中央部５ｃの下部５ｄが後方に傾斜面をなしていることで金属屋根材２-1の下板部２ｇが挿入し易くなる。
【００４５】
また、下板部２ｇのＵ字状に折り返された上端部２ｈは、係止爪６の下面６ａが内側に僅かに凹面をなしていることで摺動しながら容易に乗り越えることが可能となり、下板部２ｇが挿入し易くなる。そして、下板部２ｇのＵ字状に折り返された上端部２ｈの上面２ｉが平板スレート瓦１-1の下面に当接し、端面２ｊが固定部材５-1の係止爪６の両端面６ｃ（図６参照）に係止される。これにより、金属屋根材２-1の下端部２ｃが固定部材５-1に係止される。
【００４６】
この金属屋根材２-1の上部は、図示しない笠木で押さえられビスで平板スレート瓦１-1と共に野地板及び垂木に固定され、前記笠木から上方に延出する部位は適宜の長さを残して切断されて上方に折曲される。そして、図示しない棟カバーが取り付けられる。このようにして最上段の平板スレート瓦１-1に金属屋根材２-2を被せる。固定部材５-1のリブ５ｅ，５ｈ及びビス９の頭部は金属屋根材２-1の裏面に貼着されているバックアップ材３により吸収され、これらに起因して当該金属屋根材２-1の平板部２ａが変形したりすることはない。
【００４７】
次に、２段目の平板スレート瓦１-2に上述と同様にして固定部材５-2を固定し、下側の３段目の平板スレート瓦１-3との間に隙間Ｓ-2を形成する。そして、この平板スレート瓦１-2に金属屋根材２-2を被せて上端部２ｂを前記隙間Ｓ-1に挿入し、下板部２ｇを隙間Ｓ-2に挿入する。上端部２ｂは、上面２ｄが固定部材５-1の下板部５ｂ及び平板スレート瓦１-1の裏面に当接する。上面２ｄの端面２ｅは、係止爪７よりも奥まで挿入されて係止爪７と僅かな間隔を存して対向している。
【００４８】
また、下板部２ｇのＵ字状に折り返された上端部２ｈの上面２ｉが固定部材５-2の下板部５ｂ及び平板スレート瓦１-1の下面に当接し、端面２ｊが固定部材５-2の係止爪６の両端面６ｃに係止される。これにより、金属屋根材２-2が２段目の平板スレート瓦１-2に被されて固定部材５-2に係止される。このようにして、棟側（上）から軒側（下）に３段目、４段目と順次既存の平板スレート瓦に金属屋根材２を被せて改修する。
【００４９】
尚、上述したように固定部材１１を取り付け、次いで、金属屋根材２を取り付けるというように交互に取り付けるようにしても良く、或いは既存の平板スレート瓦１の所定位置に棟側から軒側まで先に固定部材５を取り付けておき、後から金属屋根材２を順次取り付けるようにしても良い。
【００５０】
上述したように金属屋根材２の上面２ｄの端面２ｅが固定部材５の係止爪７よりも奥まで挿入されることで、既存の平板スレート瓦１の働き幅の寸法が多少変化している場合でもその寸法差（変化分）を吸収することが可能となる。金属屋根材２は、端面２ｅが平板スレート瓦１の下面に食い込んで係止されることで係止爪７と必ずしも係止する必要はない。従って、固定部材５の係止爪７を省いても良い。
【００５１】
しかしながら、何らかの原因で金属屋根材２に下向きに大きな力が作用して下板部２ｇの端面２ｊが固定部材５の係止爪６から外れて当該金属屋根材２がずれた場合、端面２ｅが係止爪７と係止して当該金属屋根材２がずれ落ちることを防止することができる。勿論、下板部２ｇの端面２ｊを固定部材５の係止爪６に係止すると共に端面２ｅを係止爪７に係止させるようにしても良い。
【００５２】
そして、棟側から軒側に向けて葺き作業を行うことで新しく葺いた金属屋根材２の上に乗って施工することがなくなり、傷付けや汚れを最小限に抑えることができる。また、新しく葺いた金属屋根材の仕上げ面の歩行を最小限に抑えることが可能であり、汚れ及び傷防止ができると共に施工途中での雨が降ってきても何ら問題が無く養生が容易である。更に、作業者の施工体勢に無理がなく、疲労度を軽減することができる。
【００５３】
更に、既存の平板スレート瓦１の段差と一致させて金属屋根材２を被せることができ、既存の屋根の意匠を保持することができる。また、金属屋根材２の裏面に貼着されている断熱性及び遮音性を有するバックアップ材３より既存の平板スレート瓦１と相俟って夏季における熱暑や冬季における冷却の影響及び雨音を有効に抑えることができる。
【００５４】
図８及び図９は、本発明に係る固定部材の変形例を示す。固定部材１１は、平板の上部１１ａが略Ｕ字状に折り返されて上板部１１ｂが下板部１１ｃの略中央部近傍に至り、端末１１ｄが上方（外側）に略直角に折曲されて形成されている。端末１１ｄは、既存の平板スレート瓦１の前端面に当接して係止される係止部とされる。上板部１１ｂには係止部としての係止爪１２が端末１１ｄとの折曲部近傍から折り返し部方向に所定の間隔を存して複数形成されている。
【００５５】
係止爪１２は、上板部１１ｂの板面の下方にかつ端末側（下端側）から折り返し部（上端側）に向かって起立された略鋸歯状をなし、下面１２ａが幅方向に略半円形状をなし、下端から上端に向けて広くなる三角形状をなし上端が開口している。そして、開口部は、略半円形状をなしその端面１２ｂが実質的な係止爪とされている。
【００５６】
係止爪１２の高さは、端末側から折り返し部方向に徐々に低くなっており、金属屋根材２の上端部２ｂが挿入し易くなっている。尚、各係止爪１２は、同じ高さでも良い。下板部１１ｃの下端部の略中央及び両側部には前記固定部材５と同様のリブ１１ｅ、ビス孔１１ｆ、リブ１１ｇが上方に膨出して形成されている。
【００５７】
次に上記固定部材１１を使用して金属屋根材２により既存の平板スレート瓦の屋根を改修する手順について説明する。先ず、図１０に示すように棟側から１段目の平板スレート瓦１-1と２段目の平板スレート瓦１-2との間に固定部材１１-1の上部１１ａを差し込み、上板部１１ｂの端末１１ｄを１段目の平板スレート瓦１-1の前端面に当接係止させて位置決めし、下板部１１ｃを２段目のスレート瓦１-2にビス９で固定する。この状態において固定部材１１-1の上板部１１ｂが１段目の平板スレート瓦１-1の下面に当接している。
【００５８】
次いで、１段目の平板スレート瓦１-1に金属屋根材２-1を被せて下端部２ｃの下板部２ｇを固定部材１１の上板部１１ｂ及び１段目の平板スレート瓦１-1の下面と２段目の平板スレート瓦１-2との間に挿入し、Ｕ字状に折り返された端末２ｈの端面２ｊを複数の係止爪１２の例えば一番手前の係止爪１２の端面１２ｂに係止する。この金属屋根材２-1の上部は、前述したと同様に笠木で押さえられてビスで平板スレート瓦１-1と共に野地板及び垂木に固定され、前記笠木から上方に延出する部位は適宜の長さを残して切断されて上方に折曲される。
【００５９】
次に、２段目の平板スレート瓦１-2と３段目の平板スレート瓦１-3との間に固定部材１１-2の上部１１ａを差し込み、下板部１１ｃを３段目の平板スレート瓦１-3に固定する。そして、２段目の平板スレート瓦１-2に金属屋根材２-2を被せて上端部２ｂを金属屋根材２-1の下板部２ｇの下側から固定部材１１-1のＵ字状をなす上部１１ａ、１段目の平板スレート瓦１-1と２段目の平板スレート瓦１-2との間に挿入し、上面２ｄの端面２ｅを固定部材１１-1の複数の係止爪１２の何れか例えば奥の係止爪１２の端面１２ｂに係止させる。このように２段目の金属屋根材２-2は、２段目の平板スレート瓦１-2に固定された固定部材１１-1に上端部２ｂが係止される。このようにして、既存の平板スレート瓦１に順次棟側（上）から軒側（下）方向に金属屋根材２を葺く。
【００６０】
尚、金属屋根材２は、上端部２ｂが固定部材１１の係止爪１２に係止されて止められているので、下板部２ｇの端面２ｊが固定部材１１の係止爪１２に必ずしも係止されなくとも良い。また、上述した固定部材５と同様に既存の平板スレート瓦１の所定位置に棟側から軒側まで先に固定部材１１を取り付けておき、後から金属屋根材２を順次取り付けるようにしても良い。
【図面の簡単な説明】
【００６１】
【図１】本発明に係わる平板スレート瓦改修用金属屋根材により改修する場合の屋根の一部平面図である。
【図２】図１に示した改修用金属屋根材の側面図である。
【図３】図１に示した固定部材の平面図である。
【図４】図３に示した固定部材の底面図である。
【図５】図３に示した固定部材の矢線V−Vに沿う断面図である。
【図６】図４に示した固定部材の係止爪の斜め下方から見た斜視図である。
【図７】図２及び図３に示した金属屋根材と固定部材により既存の平板スレート瓦屋根を改修する場合の説明図である。
【図８】図４に示した固定部材の変形例を示す平面図である。
【図９】図８に示した固定部材の矢線IX−IXに沿う断面図である。
【図１０】図８に示した固定部材を使用して既存の平板スレート瓦屋根を改修する場合の説明図である。
【符号の説明】
【００６２】
１，１-1，１-2，１-3    既存の平板スレート瓦
２，２-1，２-2    改修用金属屋根材（金属屋根材）
２ａ    平板部
２ｂ    上端部
２ｃ    下端部
２ｄ    上面
２ｅ    端面
２ｆ    中央部
２ｇ    下板部
２ｈ    上端部（端末）
２ｉ    上面
２ｊ    端面（係止部）
３    バックアップ材
５，５-1，５-2    固定部材（吊子）
５ａ    上板部
５ｂ    下板部
５ｃ    中央部
５ｄ    下部
５ｅ，５ｇ，５ｈ    リブ
５ｆ    ビス孔
６，７    係止爪（係止部）
６ａ    下面
６ｂ    側部
６ｃ，６ｅ    端面
６ｄ    開口部
８    パッキン
９    ビス
１１，１１-1，１１-2    固定部材（吊子）
１１ａ    上部
１１ｂ    上板部
１１ｃ    下板部
１１ｄ    端末
１１ｅ，１１ｇ    リブ
１１ｆ    ビス孔
１２    係止爪
１２ａ    下面
１２ｂ    端面
１５    野地板
１６    垂木
Ｓ-1，Ｓ-2    隙間
【図１】
2007170036.tif 000003
【図２】
2007170036.tif 000004
【図３】
2007170036.tif 000005
【図４】
2007170036.tif 000006
【図５】
2007170036.tif 000007
【図６】
2007170036.tif 000008
【図７】
2007170036.tif 000009
【図８】
2007170036.tif 000010
【図９】
2007170036.tif 000011
【図１０】
2007170036.tif 000012